(57)【要約】【課題】小規模で運用制御が容易な番組送出システム、番組送出サーバ及びデータ放送送出方法を提供する。【解決手段】番組送出サーバＳは、放送データ制作装置１４１から入力される放送データとその管理情報と素材送出装置１２０〜１２ｎから入力される映像・音声信号とをＳＣＰ１１０から又は、映像・音声信号と共に入力されるメタデータによってラッパ３でラッピングすることにより記憶蓄積部ＭにＭＸＦカプセル４にして書込記憶し、制御処理部１１は、メタデータと管理情報とから編集生成された送出管理テーブルＳＴと内部時計Ｔと照合して、記憶蓄積部Ｍから映像・音声信号と放送データ素材とを読み出しアンラッピングしてカルーセル処理部８に入力し、そこでセクション化した放送データにして多重部へ向けて送出する。【選択図】図１
2009267538.tif 000002
【特許請求の範囲】
【請求項１】
放送局の電子情報システムが出力する番組放送の管理情報、又はおよび、それに係わるメタデータに従いＳＣＰが番組素材の送出制御を行い、映像・音声信号素材と放送データ素材とからなるデジタル放送番組の番組素材を送出する番組送出システムにおいて、
前記映像・音声信号を出力する素材送出手段と、前記放送データ素材とその管理情報とを出力するデータ放送素材送出手段と、
前記素材送出手段から前記映像・音声信号を入力して符号化データファイルにする符号化する符号化手段と、それを復号化して出力する復号化手段と、
前記データ放送素材送出手段から入力される前記放送データ素材とその管理情報とを対にした放送データファイルにする入力インタフェース手段と、
前記メタデータで前記符号化データファイルと前記放送データファイルとをラッピングしたＭＸＦファイルを記憶蓄積する記憶蓄積手段と、
前記符号化データファイルと前記放送データファイルとを前記デジタル放送番組の前記メタデータでラッピングしたＭＸＦファイルにして前記記憶蓄積手段に入力するラッピング手段、および前記記憶蓄積手段から出力される前記ＭＸＦファイルをアンラッピングして出力するアンラッピング手段と、
前記ＳＣＰからの番組送出制御情報、前記メタデータおよびコマンドの番組送出に係わる制御情報を入力する制御入力手段と、
前記アンラッピング手段から入力される前記放送データ素材をカルーセル処理してデータ放送のＴＳにして送出するカルーセル処理手段と、
前記メタデータと前記管理情報および前記入力手段から入力された前記制御情報を受信して番組素材送出タイミングを管理する番組送出管理テーブルを編集、生成し、前記生成された番組送出管理テーブルと内部時計を参照して、前記記憶蓄積手段から前記アンラッピング手段を介して所要の前記放送データ素材を読み出し、前記読み出した放送データを前記カルーセル処理手段へ入力させて所定の放送データ出力タイミングに前記カルーセル処理手段から前記データ放送のＴＳを出力する制御を行う制御手段とを備える
番組送出サーバとを
具備することを特徴とする番組送出システム。
【請求項２】
放送局の電子情報システムが出力する番組放送の管理情報、又はおよびそれに係るメタデータとＳＣＰから番組素材の送出制御情報とを受信して、番組素材送出手段から入力される映像・音声信号素材と放送データ素材とからなるデジタル放送番組の番組素材を記憶蓄積し、その蓄積された素材を前記送出情報により送出する番組送出サーバにおいて、
前記素材送出手段から前記映像・音声信号を入力して符号化データファイルにする符号化する符号化手段と、それを復号化して出力する復号化手段と、
前記データ放送素材送出手段から入力される前記放送データ素材とその管理情報とを対にした放送データファイルにする入力インタフェース手段と、
前記メタデータで前記符号化データファイルと前記放送データファイルとをラッピングしたＭＸＦファイルを記憶蓄積する記憶蓄積手段と、
前記符号化データファイルと前記放送データファイルとを前記デジタル放送番組の前記メタデータでラッピングしたＭＸＦファイルにして前記記憶蓄積手段に入力するラッピング手段、および前記記憶蓄積手段から出力される前記ＭＸＦファイルをアンラッピングして出力するアンラッピング手段と、
前記ＳＣＰからの番組送出制御情報、前記メタデータおよびコマンドの番組送出に係わる制御情報を入力する制御入力手段と、
前記アンラッピング手段から入力される前記放送データ素材をカルーセル処理してデータ放送のＴＳにして送出するカルーセル処理手段と、
前記メタデータと前記管理情報および前記入力手段から入力された前記制御情報を受信して番組素材送出タイミングを管理する番組送出管理テーブルを編集、生成し、前記生成された番組送出管理テーブルと内部時計を参照して、前記記憶蓄積手段から前記アンラッピング手段を介して所要の前記放送データ素材を読み出し、前記読み出した放送データを前記カルーセル処理手段へ入力させて所定の放送データ出力タイミングに前記カルーセル処理手段から前記データ放送のＴＳを出力する制御を行う制御手段とを
具備することを特徴とする番組送出サーバ。
【請求項３】
前記制御手段は、
前記放送データファイルを、前記符号化データファイルの中の音声信号ファイルの１つに相当すると見なして前記ラッピングを行うことを特徴とする請求項２記載の番組送出サーバ。
【請求項４】
番組送出制御に係わる制御入力手段と、制御手段と、データ放送の放送データを送出するカルーセル処理手段と、デジタル放送の番組放送管理のメタデータを送信するＥＤＰＳと送出スケジュール管理を行うＳＣＰとを備え、放送局の電子情報システムが出力する番組放送管理のメタデータとＳＣＰが出力する番組素材の送出制御情報とを受信して、番組素材送出手段から入力される映像・音声信号素材と放送データ素材とからなるデジタル放送番組の番組素材を記憶蓄積手段へ蓄積し、その蓄積された各素材を前記送出情報により送出管理するデータ放送送出方法において、
入力される前記映像・音声信号を符号化データファイルにするとともに、入力される前記データ放送に係わる前記放送データ素材とその管理情報とを対にした放送データファイルにし、
前記符号化データファイルと、前記放送データファイルとを前記メタデータでラッピングしてＭＸＦファイル化して前記記憶蓄積手段へ蓄積し、
前記制御入力手段を介して前記制御手段は、前記メタデータと前記管理情報とを受信し、前記受信したデータ及び情報とさらに入力される制御情報から番組素材送出タイミングを管理する番組送出管理テーブルを編集、生成し、
前記番組送出管理テーブルと内部時計とを参照して、前記記憶蓄積手段から所要の前記ＭＸＦファイルを読み出しアンラッピングして前記符号化データファイルとそれに対応する前記放送データ素材とにして出力し、
前記符号化データファイルを映像・音声信号に復号して出力するとともに前記読み出した放送データを前記カルーセル処理手段へ入力し、所定の放送データ出力タイミングに前記カルーセル処理手段から前記データ放送のＴＳを出力する制御を行う
ことを特徴とするデータ放送送出方法。
【請求項５】
前記制御手段は、
前記放送データファイルを前記符号化データファイルの中の音声信号ファイルの１つに相当すると見なして前記ラッピングを行い前記記憶蓄積することを特徴とする請求項４記載のデータ放送送出方法。
【発明の詳細な説明】
【技術分野】
【０００１】
本発明は、放送局のデジタル放送番組を送出する番組送出システム、番組送出サーバ及びデジタル放送送出方法に関する。
【背景技術】
【０００２】
地上デジタル放送では、字幕データ始め各種データが通常の映像・音声コンテンツと共に多重放送されている。メタデータを用いたデータ放送では受信データを受信器側で一旦蓄積し、後から放送データを読み出すことが可能である（例えば、特許文献１。）が送信側では、本来、映像と表示データ等を同期して表示可能にするため、映像・音声信号チャネルとデータチャネルとが同期するように素材送出タイミング制御を取って送信している。
【０００３】
図６は、従来のデジタルデータ放送の番組を送出する番組送出システムの機能構成を説明するブロック図である。  
図６において、番組送出システムは、番組編成を管理するＤＳ（データサーバ）１００、番組送出のスケジュール管理をするＳＣＰ（スケジュール管理装置）１１０、映像・音声信号を出力するスタジオカメラ、ＶＴＲ等の素材送出装置１２１〜１２ｎ、データ放送素材送出装置１４０、ＳＣＰ１１０の制御に従って素材送出装置の接続先を切替え、番組素材を選択入出力するスイッチャ１５０、番組素材を同期して処理するための局内時計１６０、制御卓１７０、多重装置１８０等を備え、これらの装置間は、各装置の動作を制御する情報、データの信号を伝送する制御ネットワークＳＮで接続されている。
【０００４】
従来、データ放送は、放送局の電子情報処理システム（ＥＤＰＳ）のデータサーバ（以下、ＤＳと略す。）１からの番組時刻表に基づきＳＣＰ１１０が局内時計１６０を参照して詳細なタイミング制御を行う信号を制御ネットワークＳＮを介して送信し、各装置の送出する、スイッチャおよび素材送出装置１２１〜１２ｎ、データ放送送出設備１４０の動作、機器間接続を行っている。
【０００５】
データ放送が、通常放送の映像・音声コンテンツと同期して放送される場合でもデータ放送素材送出設備１４０を含めて全ての装置をＳＣＰ１１０が番組送出の制御を行うので、データ放送のみならず、素材送出装置の台数が膨大になり、また、制御タイミングを揃えて行わなければならず、装置規模の増大と運用コストが増大する問題があった。
【特許文献１】特開２００２−１０１８２号公報  （第１０頁、第１図）
【発明の開示】
【発明が解決しようとする課題】
【０００６】
データ放送が、通常放送の映像・音声コンテンツと同期して放送される場合でもデータ放送素材送出装置を含めてオンエアに係わる全装置をＳＣＰが制御して番組送出を行うので、データ放送関連だけでなく素材送出装置の台数が膨大になり、また、制御タイミングを揃えて行わなければならいため番組送出システムの装置規模の増大と番組送出制御が複雑になり運用コストが増大する問題があった。
【０００７】
本発明は、上記問題を解決するためになされたもので小規模で運用制御が容易な番組送出システム、番組送出サーバ及びデータ放送送出方法を提供することを目的とする。
【課題を解決するための手段】
【０００８】
上記目的を達成するために、本発明の番組送出システムは、放送局の電子情報システムが出力する番組放送の管理情報、又はおよび、それに係わるメタデータに従いＳＣＰが番組素材の送出制御を行い、映像・音声信号素材と放送データ素材とからなるデジタル放送番組の番組素材を送出する番組送出システムにおいて、前記映像・音声信号を出力する素材送出手段と、前記放送データ素材とその管理情報とを出力するデータ放送素材送出手段と、前記素材送出手段から前記映像・音声信号を入力して符号化データファイルにする符号化する符号化手段と、それを復号化して出力する復号化手段と、前記データ放送素材送出手段から入力される前記放送データ素材とその管理情報とを対にした放送データファイルにする入力インタフェース手段と、前記メタデータで前記符号化データファイルと前記放送データファイルとをラッピングしたＭＸＦファイルを記憶蓄積する記憶蓄積手段と、前記符号化データファイルと前記放送データファイルとを前記デジタル放送番組の前記メタデータでラッピングしたＭＸＦファイルにして前記記憶蓄積手段に入力するラッピング手段、および前記記憶蓄積手段から出力される前記ＭＸＦファイルをアンラッピングして出力するアンラッピング手段と、前記ＳＣＰからの番組送出制御情報、前記メタデータおよびコマンドの番組送出に係わる制御情報を入力する制御入力手段と、前記アンラッピング手段から入力される前記放送データ素材をカルーセル処理してデータ放送のＴＳにして送出するカルーセル処理手段と、前記メタデータと前記管理情報および前記入力手段から入力された前記制御情報を受信して番組素材送出タイミングを管理する番組送出管理テーブルを編集、生成し、前記生成された番組送出管理テーブルと内部時計を参照して、前記記憶蓄積手段から前記アンラッピング手段を介して所要の前記放送データ素材を読み出し、前記読み出した放送データを前記カルーセル処理手段へ入力させて所定の放送データ出力タイミングに前記カルーセル処理手段から前記データ放送のＴＳを出力する制御を行う制御手段とを備える番組送出サーバとを具備することを特徴とする。
【０００９】
また本発明の番組送出サーバは、放送局の電子情報システムが出力する番組放送の管理情報、又はおよびそれに係るメタデータとＳＣＰから番組素材の送出制御情報とを受信して、番組素材送出手段から入力される映像・音声信号素材と放送データ素材とからなるデジタル放送番組の番組素材を記憶蓄積し、その蓄積された素材を前記送出情報により送出する番組送出サーバにおいて、前記素材送出手段から前記映像・音声信号を入力して符号化データファイルにする符号化する符号化手段と、それを復号化して出力する復号化手段と、前記データ放送素材送出手段から入力される前記放送データ素材とその管理情報とを対にした放送データファイルにする入力インタフェース手段と、前記メタデータで前記符号化データファイルと前記放送データファイルとをラッピングしたＭＸＦファイルを記憶蓄積する記憶蓄積手段と、前記符号化データファイルと前記放送データファイルとを前記デジタル放送番組の前記メタデータでラッピングしたＭＸＦファイルにして前記記憶蓄積手段に入力するラッピング手段、および前記記憶蓄積手段から出力される前記ＭＸＦファイルをアンラッピングして出力するアンラッピング手段と、前記ＳＣＰからの番組送出制御情報、前記メタデータおよびコマンドの番組送出に係わる制御情報を入力する制御入力手段と、前記アンラッピング手段から入力される前記放送データ素材をカルーセル処理してデータ放送のＴＳにして送出するカルーセル処理手段と、前記メタデータと前記管理情報および前記入力手段から入力された前記制御情報を受信して番組素材送出タイミングを管理する番組送出管理テーブルを編集、生成し、前記生成された番組送出管理テーブルと内部時計を参照して、前記記憶蓄積手段から前記アンラッピング手段を介して所要の前記放送データ素材を読み出し、前記読み出した放送データを前記カルーセル処理手段へ入力させて所定の放送データ出力タイミングに前記カルーセル処理手段から前記データ放送のＴＳを出力する制御を行う制御手段とを具備することを特徴とする。
【００１０】
更に本発明のデータ放送送出方法は、番組送出制御に係わる制御入力手段と、制御手段と、データ放送の放送データを送出するカルーセル処理手段と、デジタル放送の番組放送管理のメタデータを送信するＥＤＰＳと送出スケジュール管理を行うＳＣＰとを備え、放送局の電子情報システムが出力する番組放送管理のメタデータとＳＣＰが出力する番組素材の送出制御情報とを受信して、番組素材送出手段から入力される映像・音声信号素材と放送データ素材とからなるデジタル放送番組の番組素材を記憶蓄積手段へ蓄積し、その蓄積された各素材を前記送出情報により送出管理するデータ放送送出方法において、入力される前記映像・音声信号を符号化データファイルにするとともに、入力される前記データ放送に係わる前記放送データ素材とその管理情報とを対にした放送データファイルにし、前記符号化データファイルと、前記放送データファイルとを前記メタデータでラッピングしてＭＸＦファイル化して前記記憶蓄積手段へ蓄積し、前記制御手段を介して前記制御手段は、前記メタデータと前記管理情報とを受信し、前記受信したデータ及び情報とさらに入力される制御情報から番組素材送出タイミングを管理する番組送出管理テーブルを編集、生成し、前記番組送出管理テーブルと内部時計とを参照して、前記記憶蓄積手段から所要の前記ＭＸＦファイルを読み出しアンラッピングして前記符号化データファイルとそれに対応する前記放送データ素材とにして出力し、前記符号化データファイルを映像・音声信号に復号して出力するとともに前記読み出した放送データを前記カルーセル処理手段へ入力し、所定の放送データ出力タイミングに前記カルーセル処理手段から前記データ放送のＴＳを出力する制御を行うことを特徴とする。
【発明の効果】
【００１１】
本発明によれば、小規模で運用制御が容易な番組送出システム、番組送出サーバ及びデータ放送送出方法を提供することすることができる。
【発明を実施するための最良の形態】
【００１２】
以下、図面を参照して本発明の実施例を説明する。
【実施例】
【００１３】
図１は、本発明の実施例に係わる番組送出サーバの構成を説明する機能ブロック図である。  
図１において、番組送出サーバＳは、映像・音声信号、放送データをメタデータによってファイル管理してＭＸＦファイル化処理するシステムである。
【００１４】
番組送出サーバＳは、従来の素材送出装置の１つであるビデオサーバを高機能化したものであって、制御ネットワークＳＮを介して番組送出に係わる情報がＥＤＰＳのデータサーバ１、ＳＣＰ１１等から入力されている。番組送出サーバＳが収容される番組送出システムは、図６におけるデータ放送素材送出装置１４０が、放送データ制作装置１４１になり、ビデオサーバ１２１〜１２ｎの内いずれか１つが、番組送出サーバＳに置き換えられたシステム構成になっている。放送データ制作装置１４１は、データ放送のカルーセルで送出される放送データと、その放送データを送出する為の管理情報を番組送出サーバＳへ出力する。
【００１５】
番組送出サーバＳは、モニタ対象となる映像・音声信号を符号化する符号化装置（以下、ＥＮＣと略す。）１、映像・音声信号と対応する放送データをファイル化するための入力Ｉ／Ｆ２、これらの信号やデータをメタデータによってラッピングしてＭＸＦファイルにするＭＸＦラッパ３、ＭＸＦファイル（以下、１つのまとまったＭＸＦファイルを便宜上、ここではＭＸＦカプセル４と称する。）を蓄積記録する記憶蓄積部Ｍ、内部時計Ｔ、制御処理部１１、制御入出力部１２、記憶蓄積部Ｍから読み出したＭＸＦカプセル４を元の映像・音声信号、放送データ、メタデータのファイルに分離出力するＭＸＦアンラッパ５、映像・音声信号を復号化して出力する復号装置（以下ＤＥＣと略す。）６、と放送データをセクション化されたカルーセルに変換したＴＳ（Ｔｒａｎｓｐｏｒｔ  Ｓｔｒｅａｍ）信号にして出力するカルーセル処理部８とを備えている。
【００１６】
このカルーセル処理部から出力されるＴＳ信号と復号化された映像・音声信号は、図示されないスイッチャを経由して入力される多重部で多重されデジタル放送の送信信号として送信機へ送出される。
【００１７】
また、番組送出サーバＳは、制御入出力部１２を介して制御ネットワークＳＮと接続され、この制御入出力部１２を介して放送局の電子情報システム（ＥＤＰＳ）のデータサーバＤＳ１００、およびＳＣＰ１１０等との間でメタデータ、番組送出に係わる制御データ等が入出力される。なお、制御入出力部１２は、記憶媒体を介してメタデータや、放送データ、また番組送出に係わるデータを外部の情報処理装置を介して入力する機能を備えている。
【００１８】
これらの各構成は、内部バス等でそれぞれの間が接続され、制御処理部１１は、番組送出サーバの各構成を監視制御する。例えば、制御入出力部１２のキーボード等の入力手段によってオペレータが入力したメタデータ、及びメタデータの編集に係わるコマンドやデータによりＭＸＦファイル化の制御、また、記録蓄積部Ｍの読み書き処理制御や、カルーセル処理部８の出力制御など各構成の動作制御を行う。
【００１９】
また、内部時計Ｔは、映像・音声信号とデータを同期して処理するためのタイミング情報を出力する。
【００２０】
データ放送の放送データ素材は、外部の放送データ制作装置１４１から、入力Ｉ／Ｆ２を介して入力される。この放送データ制作装置１４１は、番組素材サーバＳとの間が信号線、ネットワーク等で接続され、制作された管理情報と、素材とが番組素材サーバＳへ入力される。なお、管理情報は、放送データ制作装置１４１が接続される制御ネットワークＳＮを介して番組送出サーバＳへ入力されるものであっても良い。
【００２１】
また、上述した如く、制御入出力装置１２を介して放送データの管理情報が入力される場合もあるが、何れの入力手段を介して入力されても制御処理部１１が内部バスを監視し所定の動作プログラムにより、記憶蓄積装置Ｍとの間で書込読み出し、ＭＸＦファイル化に係わる制御を実行する。
【００２２】
図２は、データ放送の放送データを送出するカルーセル処理部８の内部動作を説明する機能ブロック図である。  
図２において、カルーセル処理部８は、制御処理部１１の制御に従って記憶蓄積部Ｍから読み出され、アンラッパ８を介して入力するデータ放送素材を送出規格に合わせてセクション化してカルーセル送出部８３へ出力するセクション化部８１、同じくアンラッパ８から入力される管理情報に従ってカルーセルの切替、及び停止制御を行う自走制御部８２と、セクション部８１から入力されるセクションデータを順次ＴＳパケット化して送出するカルーセル送出部８３とを備えている。
【００２３】
自走制御部８２は、同一番組内でカルーセルの切替指定が有る場合、管理情報に基づき切替時間前に次カルーセルの準備を行いセクション部８１からカルーセル送出部８３へ転送する。カルーセル送出部８３は、制御処理部１１からのスタンバイ（待機）、スタート（送出開始）コマンドに従って、送出開始、停止を行う。
【００２４】
ＭＸＦカプセル４は、映像ファイル（ｆ）４１、音声ｆ４２、メタデータｆ４３と、放送データｆ４４で構成されるＭＸＦファイルである。なお、映像ｆ４１と音声ｆ４２とは、１つの映像・音声ファイルとして処理されても良い。この１つの映像・音声ファイルは、総称して符号化データファイルとも呼ばれる。
【００２５】
ＭＸＦファイル化する映像・音声信号の名称、識別情報、それに対応する、放送データ素材の名前、識別情報等その他番組送出に係わる諸編集情報がメタデータ情報として、制御ネットワークＳＮを介してＤＳ１、又は制御入力手段１２から入力される。制御入力手段としては、キーボード、マウス等のオペレータがコマンドやデータを入力する入力手段、又は、記憶媒体、通信手段等により入力される。
【００２６】
そして、制御処理部１１は、内部バス等を介して入力されたこれらのメタデータ情報を判読し、所定のメタデータ編集プログラムによりメタデータで映像ファイル（ｆ）４１、音声ｆ４２と放送データｆ４４とをラッピングする。
【００２７】
データ放送の管理情報は、映像・音声信号に伴うメタデータと同じ形式のメタデータとして放送データ制作装置１４１から番組送出サーバＳへ入力されるものであっても良いがここでは、独立した管理データがデータ放送素材と共に番組送出サーバＳへ入力される場合を例に、番組送出サーバＳの動作を説明する。
【００２８】
図３は、番組送出サーバの基本的な処理手順を説明するフローチャートである。  
図３において、番組送出サーバＳでは、オンエアに備えて、予め放送コンテンツ（素材）を収録する為に書込記憶が行われる。
【００２９】
番組送出サーバＳは、放送局ＥＤＰＳのＤＳ１００からの番組時刻表に基づきＳＣＰ１１０で詳細な番組コンテンツ送出タイミングを処理する送出スケジュール情報が制御ネットワークＳＮを介して入力され、制御処理部１１は、記憶蓄積部Ｍに送出スケジュール表ｓｔ１を作成して書込記憶する（図３のステップｓ１）。
【００３０】
その後、制御ネットワークＳＮを介して入力される、例えば、図示されないＡＭＳ（Ａｓｓｃｅｔ  Ｍａｎａｇｅｍｅｎｔ  Ｓｅｒｖｅｒ）からの制御信号、または、オペレータが図示されない制御卓から入力する素材収録コマンドにより、順次オンエアの為の各種番組の映像、音声信号ファイルが、例えば、図４のそれぞれ素材送出装置１２１〜１２ｎに相当する素材送出装置から番組送出サーバＳへ入力される。映像・音声信号はＥＮＣ１で符号化され、また、制御入力部１２、制御ネットワークＳＮ、又は図示されない通信手段等によりその収録する映像・音声信号に対応するメタデータが入力され、一時記憶蓄積部Ｍに映像ファイル４１、音声ファイル４２、メタデータとなって蓄積される（ステップｓ２）。
【００３１】
また、放送データ制作装置１４１から出力されたデータ放送のデータ放送素材とそれに対応して入力される管理情報とが入力Ｉ／Ｆ２で対になった放送データファイル（ｆ）４４となって記憶蓄積部Ｍに書込み記憶される（ステップｓ３）。
【００３２】
この時、制御処理部１１は、メタデータ４３を判読して、入力Ｉ／Ｆ２を介して入力された放送データファイル（ｆ）４４とそれに対応する映像ファイル（ｆ）４１、音声ファイル４２とを対応させ、そしてメタデータ４３でＭＸＦファイル化するラッピングを行う。このラッピングは、所定のメタデータ編集ルール、例えば、Ａｎｙｔｉｍｅ  ＴＶとして知られているものなどを用いる。
【００３３】
なお、データ放送の放送データファイルと管理情報を従来の標準化されたメタデータ編集ツールでラッピングをするにあたっては、放送データファイルは、音声ファイルに比べて遙かに少ないデータ量であるので、放送データファイルを入力Ｉ／Ｆ２で処理する際に、映像・音声信号で使用される多国語放送の音声に割り当てられた音声ファイルにみなしたセル処理をして記憶蓄積部Ｍに書込記憶させる。そして、制御処理部１１が、読み出し後、アンラッピングの際に再び放送データと管理情報に分離してカルーセル処理部８へ入力するようにしても良い。
【００３４】
制御部１１は、当初入力されるメタデータ４３の他、管理情報や、オペレータから入力される追加メタデータ情報によりメタデータ４３を再編集する。そして新たなメタデータ４３により、映像ファイル４１、音声ファイル４２、放送データファイル４４をラッピングしてＭＸＦカプセル４を生成して記憶蓄積部Ｍに記憶する（ステップｓ４）。
【００３５】
なお、これらのラッピング処理は、ＭＸＦラッパ３が、入力される映像・音声信号とデータ放送素材、管理情報とをバッファしながらファイル編集（データ編集）を行って記憶蓄積装置Ｍに書き込むイメージになるが、実際には、記憶蓄積部Ｍによって上記ステップｓ２、ｓ３で一旦記憶されたファイルを、制御処理部１１が、判読したメタデータ内容から組合せる再編集を行うファイル管理によってＭＸＦラッピングが行われる。
【００３６】
従来、図６に示されるようにデジタル放送番組の送信信号は、放送データは、外部のデータ放送素材送出装置１４０から放送データが出力され、更にＳＣＰ、スイッチャ等を介して多重部へ出力された。これに代わり、本発明の実施例による番組送出サーバＳは、制御処理部１１がＭＸＦファイル化された放送番組のメタデータを判読して、素材送出タイミングを管理することにより映像・音声信号とデータ信号を対応して同期したタイミングで出力している。
【００３７】
その為に、本実施例の番組送出サーバＳでは、ＳＣＰ１１０から従来のデータ放送素材送出装置１４０（図６）へ入力されるデータ素材を送出するタイミング制御情報が、代わりに番組送出サーバＳへ制御ネットワークＳＮと制御入出力部１２とを介して入力される（ステップｓ５）。そして、制御処理部１１は、記憶蓄積部Ｍに書込記憶した送出スケジュール表ｓｔ１を読み出し、それを更にＳＣＰ１１０から入力される番組送出タイミング情報とメタデータ、および管理情報とを追加して再編集し、送出管理テーブルＳＴを生成する（ステップｓ６）。この過程でメタデータは、映像・音声信号を送出する詳細タイミングがリスト化されるように再編集されている。その結果、番組送出サーバＳから送出する映像・音声信号と放送データのタイミングを合わせて多重部へ向けて出力すればスイッチャを省略することが可能になる。
【００３８】
本実施例では、放送データが番組送出サーバＳの送出側に設けられたカルーセル処理部８から出力され、かつ番組送出サーバＳ内でメタデータによりスイッチャ接続を省略して送出する制御が可能なので、スイッチャ接続を省略した場合、放送局設備が小型化するのみならず、スイッチャ管理を行なうＳＣＰ１１０に掛かる負担が少なくて済む効果がある。
【００３９】
なお、従来同様、映像・音声信号とデータ放送の信号とを一度スイッチャを介してから多重部へ入力する方法を採っても良いことは言うまでもない。
【００４０】
図４は、制御処理部１１が収録された特別報道番組の番組送出に使用する送出管理テーブルＳＴの一例である。  
ここでは、送出管理テーブルＳＴは、放送データとして画面に表示する文字データが取り上げられ、映像・音声信号の放送と文字データとを送出するタイミングが表示されている。図４の上部欄は、番組に伴う入力メタデータ、管理情報の基本編集項目を整理している。
【００４１】
制御処理部１１は、記憶蓄積部Ｍに書込記憶されたメタデータと、管理情報とを照合比較することにより、映像・音声信号と放送データとを対応する組にして、メタデータにより両番組素材と管理情報とをラッピングしてＭＸＦファイルを作成する。
【００４２】
ここでは、番組素材名の欄が入力メタデータ、管理情報とも「特別報道＃１」であり、その素材（コンテンツ）の識別情報がＮＤＸＸＸＸ１ＡＶ、ＮＤＸＸＸＸ１ＤＤ、これの対応素材（コンテンツ）の識別情報がＮＤＸＸＸＸ１ＤＤ、ＮＤＸＸＸＸ１ＡＶと相補的に組み合わされている。番組種別が「収録」、時間枠が、「２０：００−２０：４５」で有ることは共通なことが示されている。
【００４３】
これら上部欄は、入力データから、制御処理部１１が新たなメタデータとして再編集したものに相当する。一方、これに続く下部の欄は、映像・音声信号と放送データを送出するタイミングを管理するタイミングデータである。タイミング精度は、記述の頻雑を防ぎ、概念説明に留めているため１分単位であるが、実際には更に細かい秒単位以下の制御が実行されている。
【００４４】
映像・音声信号と放送データとの各送出タイミングは、番組送出のイベント発生タイミングから、イベントが時系列処理されるように、番組の放送開始（素材送出開始）の時刻表記「２０：００」と放送開始タイミングを基準にした経過時間表記「００：００」とが早いもの順に示されている。なお、この経過時間は、実際には、映像のフレーム切替タイミング精度で設定されたタイムタグ情報に対応している。時刻表記「２０：００」の番組開始タイミングでは、識別情報名「ＮＤＸＸＸＸ１ＡＶ」の先頭１分間部分の映像・音声ファイル「ＮＤＸＸＸＸ１ＡＶ＃１」が送出されること、放送データは「ＳＴＢＹ」の待機状態であることが示されている。
【００４５】
制御処理部１１は、送出管理テーブルＳＴと内部時計Ｔとを照合し（ステップｓ７）、映像・音声信号「ＮＤＸＸＸＸ１ＡＶ＃１」を記憶蓄積装置Ｍから読み出し、アンラッピング５とＤＥＣ６を介して多重部へ向けて「２０：００」の時刻にオンエアされるタイミングで送出する（ステップｓ８）制御を行う。
【００４６】
一方制御処理部１１は、放送データについては放送時刻の「２０：０２」に先立ち、字幕データを送出することを送出管理テーブルＳＴから判読し（ステップｓ９）、データ放送素材「ＮＤＸＸＸＸ１ＤＤ＃１」を記憶蓄積装置Ｍから読み出してセクション化部８１へ入力する。セクション化部８１は、この素材を、セクション化したパケットを生成し、カルーセル送出部８３へ転送する（ステップｓ１０）。
【００４７】
そして、カルーセル処理部８３に「ＳＴＢＹ」コマンドを送信することによりカルーセル処理部８３に「ＮＤＸＸＸＸ１ＤＤ＃１」を送出待機（ステップｓ１１）をさせる制御を行う。
【００４８】
また、「２０：０１」〜「２０：０２」の間、広告番組が放送されるので、「ＮＤＸＸＸＸ１ＡＶ＃１」の送出を中止させ、次の映像・音声信号送出を準備するコマンド「ＳＴＢＹ：ＮＤＸＸＸＸ１ＡＶ＃２」を記憶蓄積部Ｍと，ＤＥＣ６へ送信し出力は（待機）となる（ステップｓ１２）。
【００４９】
そして「２０：０２」になると、広告番組が終了するので、制御部１１は、映像・音声信号「ＮＤＸＸＸＸ１ＡＶ＃２」を送出開始させると同時に、「スタート」のコマンドによりカルーセル送出部８３から、文字データ「ＮＤＸＸＸＸ１ＤＤ＃１」のカルーセルを多重部へ向けて送出させる（ステップｓ１３）。字幕データと、映像・音声データは、タイムタグにより、画面に重畳表示される文字が的確に同期して表示される。なお、放送データが、文字データでなくそのほか、デジタル放送用の諸サービスでも同様に扱って良いことは勿論である。
【００５０】
制御部１１は、「ＮＤＸＸＸＸ１ＤＤ＃１」を送出すると送出管理テーブルＳＴを参照し、次のイベントを判読する（ステップｓ１４）。即ち「２０：０３」になる前に次のカルーセルである「ＮＤＸＸＸＸ１ＤＤ＃２」をカルーセル送出部８３に転送するコマンド、例えば、「ＭＯＶＥ：ＮＤＸＸＸＸ１ＤＤ＃２」をカルーセル処理部８へ送出する（ステップｓ１５）。
【００５１】
「ＮＤＸＸＸＸ１ＤＤ＃２」は、カルーセル送出部８３内の図示されないバッファに一時保存される（ステップｓ１６）。そして、内部時計Ｔを参照している制御処理部１１は、「２０：０３」になると、カルーセル処理部８へ「リニュー」のコマンドを送出する事によって、送出中の文字データを「ＮＤＸＸＸＸ１ＤＤ＃２」更新させる（ステップｓ１７）。
【００５２】
制御処理部１１は、また送出管理テーブルＳＴを参照し（ステップｓ１４）、「２０：０４」になる前に「ＮＤＸＸＸＸ１ＤＤ＃３」の文字データをカルーセル送出部８３に一時保存させる制御を開始する（ステップｓ１５）。
【００５３】
多重部は、入力される映像・音声信号と字幕データの様な放送データとを重畳したＴＳ信号を生成して送信機へ向けて送出する。
【００５４】
図５は本発明の実施例に係わる番組送出サーバの変形例の構成を示す機能ブロック図である。  
図５において番組送出サーバＳは、ＭＸＦパケットを記録蓄積してネットワークを介して遠隔地へ向けて送信するビデオサーバＳａと、それに対向する受信したＭＸＦファイルを分離して番組を送出するビデオサーバＳｂとの２台で構成される場合の機能ブロック図である。
【００５５】
構成は基本的には、図１の実施例と類似しているが、遠隔地点の間で信号を送受信するために、通信Ｉ／ＦＣａ用いて記憶蓄積部Ｍａに書き込まれたＭＸＦカプセル４を読み出してネットワークを介して送信し、通信Ｉ／ＦＣｂを用いて受信したＭＸＦカプセル４を記憶蓄積部Ｍｂで同様に書込読み、読み出しを行い送出するようにすればよい。
【００５６】
図５においてビデオサーバＳａ、Ｓｂで図１の場合と同様の処理を行う構成は、添え字ａ、ｂにより示している。図１に対する説明にＭＸＦファイルを伝送する通信処理が加わるが、両ビデオサーバＳａ、Ｓｂの動作内容は、書込中読み出しを含めて図１の説明から容易に推測出来るので詳細説明は省略する。
【００５７】
この構成は、センター局からローカル局へ番組を送信する様な場合に適しており、ローカル局の負担を抑える効果がある。
【００５８】
以上説明した如く、本発明の番組送出サーバは、小規模で運用制御を容易にしてデータ放送を送出することができる。
【図面の簡単な説明】
【００５９】
【図１】本発明の実施例に係わる番組送出サーバの構成を説明する機能ブロック図。
【図２】放送データを送出する番組送出サーバのカルーセル処理部の内部動作を説明する機能ブロック図。
【図３】番組送出サーバの基本的な処理手順を説明するフローチャート。
【図４】制御処理部が番組送出管理に参照する送出管理テーブル一例。
【図５】本発明の実施例に係わる番組送出サーバの変形例の構成を示す機能ブロック図
【図６】従来のデジタルデータ放送の番組を送出する番組送出システムの機能構成を説明するブロック図
【符号の説明】
【００６０】
１  符号化装置（ＥＮＣ）
２  入力Ｉ／Ｆ
３  ＭＸＦラッパ
４  ＭＸＦカプセル
４１  映像ファイル（ｆ）
４２  音声ｆ
４３  メタデータｆ
４４  放送データｆ
５  ＭＸＦアンラッパ
６  ＤＥＣ
８  出力Ｉ／Ｆ
１１、１１ａ、１１ｂ  制御処理部
１２、１２ａ、１２ｂ  制御入出力部
Ｃａ、Ｃｂ  通信Ｉ／Ｆ
Ｍ、Ｍａ、Ｍｂ  記憶蓄積部
Ｓａ  送信サーバ
Ｓｂ  受信サーバ
Ｔ  内部時計
【図１】
2009267538.tif 000003
【図２】
2009267538.tif 000004
【図３】
2009267538.tif 000005
【図４】
2009267538.tif 000006
【図５】
2009267538.tif 000007
【図６】
2009267538.tif 000008